(57)【要約】【課題】  高強度を有するとともに、鍵とガイド部との間の摩擦を小さくすることにより鍵の移動がスムーズになり、異音が発生しない鍵盤装置の鍵ガイド構造を提供すること。【解決手段】  鍵フレーム１０に対して揺動自在に取り付けられた白鍵２０ａに被ガイド部２５ａを設け、黒鍵２０ｂに被ガイド部２５ｂを設けた。そして、鍵フレーム１０に、被ガイド部２５ａ等に摺接することにより白鍵２０ａと黒鍵２０ｂをガイドする鍵ガイド部３０を設けた。また、鍵ガイド部３０を、鍵フレーム１０側部分に一体成形された硬質樹脂からなる鍵ガイド突起体３１と、鍵ガイド突起体３１を覆う軟質樹脂からなるキャップ体３２とで構成した。キャップ体３２の横断面形状は略半円状に形成し、その両側部分が被ガイド部２５ａ等に摺接するようにした。また、鍵ガイド突起体３１に突起３１ａ等を設け、キャップ体３２に、突起３１ａ等に係合する穴部３４ａ等を設けた。【選択図】  図５
2005189511.tif 000002
【特許請求の範囲】
【請求項１】
鍵フレームに対して揺動自在に取り付けられ、相対向する面部からなる被ガイド部を有する鍵と、前記鍵フレームに設けられ、前記鍵フレームに対して揺動する鍵の被ガイド部の対向面に摺接することにより前記鍵を揺動方向にガイドする鍵ガイド部とを備えた鍵盤装置の鍵ガイド構造であって、
前記鍵ガイド部を、前記鍵フレームに一体成形された硬質樹脂からなる鍵ガイド突起体と、前記鍵ガイド突起体の表面における少なくとも前記鍵の被ガイド部に対応する部分を覆う軟質樹脂からなるキャップ体とで構成し、
前記鍵ガイド突起体における鍵面と平行な断面形状の前記対向面側の両端部を薄肉に形成して、前記両端部の間に肉厚部を形成し、
前記キャップ体における鍵面と平行な断面形状の前記対向面側の両端部を円弧状または角状に形成したことを特徴とする鍵盤装置の鍵ガイド構造。
【請求項２】
前記鍵ガイド突起体と前記キャップ体、または前記鍵フレームにおける鍵ガイド突起体の近傍部分と前記キャップ体とに、それぞれ互いに係合可能な係合部を設けた請求項１に記載の鍵盤装置の鍵ガイド構造。
【発明の詳細な説明】
【技術分野】
【０００１】
本発明は、鍵フレームに対して揺動する鍵を備えた鍵盤装置の鍵ガイド構造に関する。
【背景技術】
【０００２】
従来から、鍵フレームの鍵並び方向に複数の鍵を配置した鍵盤装置においては、各鍵の間隔を一定に揃えるとともに、鍵を押離鍵方向にガイドする目的で、鍵の下面に被ガイド部を設け、鍵フレームに鍵の被ガイド部と摺接する鍵ガイド部を設けている（例えば、特許文献１参照）。この鍵盤装置では、複数の鍵を揺動自在に支持する鍵フレームにおける各鍵の被ガイド部に対応する部分に、水平断面形状が長方形のガイド部材保持部を上方に向けて突設し、その外周部に、低摩擦で弾性を有する樹脂からなるガイド部を取り付けている。
【０００３】
このガイド部は、横断面形状が長方形に形成された管状体で構成され、その長方形の長辺側の外側面に、成形時に発生する接合部（対向する２枚のゴム材料の両端部をそれぞれ接合している。）を配置させている。このため、接合部が鍵の被ガイド部に接触することがなく、被ガイド部には、ガイド部の平面状の部分だけが接触するようになる。
【特許文献１】特開平１１−２９６１６２号公報
【発明の開示】
【０００４】
しかしながら、前述した従来の鍵盤装置では、ガイド部の奥行き方向の厚みに限度があるため、強度を向上させることは困難である。なぜなら、ガイド部材保持部の肉厚を大きくしてフレームと一体的に形成したとすると、肉厚部分に樹脂凝固時の「ヒケ」現象が発生しやすくなり、精度が要求される鍵ガイド部としてふさわしくなくなる。すなわち、１鍵盤内のある鍵は「ガタあり」で、ある鍵は「きつい」ということが発生する。このことによって、単純に肉厚大とすることができない。また、運よく肉厚大のものができたとしても鍵の被ガイド部とガイド部とが面接触するため接触面積が大きくなり、摩擦抵抗が大きくなる。このため、押鍵操作の際に、雑音やきしみ音が生じるという問題も生じていた。
【０００５】
本発明は、前述した問題に対処するためになされたもので、その目的は、高強度を有するとともに、鍵とガイド部との間の摩擦を小さくすることにより鍵の移動がスムーズになり、異音が発生しない鍵盤装置の鍵ガイド構造を提供することである。
【０００６】
前述した目的を達成するため、本発明にかかる鍵盤装置の鍵ガイド構造の構成上の特徴は、鍵フレームに対して揺動自在に取り付けられ、相対向する面部からなる被ガイド部を有する鍵と、鍵フレームに設けられ、鍵フレームに対して揺動する鍵の被ガイド部の対向面に摺接することにより鍵を揺動方向にガイドする鍵ガイド部とを備えた鍵盤装置の鍵ガイド構造であって、鍵ガイド部を、鍵フレームに一体成形された硬質樹脂からなる鍵ガイド突起体と、鍵ガイド突起体の表面における少なくとも鍵の被ガイド部に対応する部分を覆う軟質樹脂からなるキャップ体とで構成し、鍵ガイド突起体における鍵面と平行な断面形状の対向面側の両端部を薄肉に形成して、両端部の間に肉厚部を形成し、キャップ体における鍵面と平行な断面形状の対向面側の両端部を円弧状または角状に形成したことにある。
【０００７】
このように構成した本発明の鍵盤装置の鍵ガイド構造では、鍵に設けられた被ガイド部の対向面の両面に摺接することにより、鍵を鍵フレームに対する揺動方向にガイドする鍵ガイド部を、硬質樹脂からなる鍵ガイド突起体と、軟質樹脂からなるキャップ体とで構成している。そして、キャップ体の横断面形状における被ガイド部の対向面側の両端部を円弧状または角状にして、その両側の円弧状部分または角部が被ガイド部の対向面に摺接するようにしている。
【０００８】
したがって、被ガイド部とガイド部とは線接触し、接触線の延びる方向に被ガイド部が鍵ガイド部に対して移動するようになる。このため、摩擦抵抗が少なくなって、鍵の移動がスムーズになるとともに、きしみ音等の異音の発生がなくなる。さらに、各鍵毎のガイド機能の均一化（各鍵毎に精度よく構成可能）が図れる。また、鍵ガイド突起体の横断面形状における対向面側の両端部を薄肉に形成して、両端部の間に肉厚部を形成している。したがって、鍵ガイド突起体は、対向面と平行する方向に厚みが生じて強度が向上する。また、鍵ガイド突起体の対向面側の両端部は薄肉に形成されているため、鍵ガイド突起体を被覆するキャップ体の両端部を円弧状や角状に形成しやすくなる。
【０００９】
この場合、キャップ体の横断面形状は、略半円状または略三角状に形成することが好ましく、これによってキャップ体に厚みが生じて強度が向上する。また、キャップ体の横断面形状の略半円状としては、Ｃ字状やＤ字状の横断面形状を含む。また、略三角状の横断面形状としては、三角形の外、Ｖ字状の横断面形状も含むものとする。また、キャップ体だけでなく、鍵ガイド突起体の横断面形状も、キャップ体に合わせて略半円状または略三角状に形成することが好ましい。これによって、鍵ガイド部全体の強度が向上する。
【００１０】
また、本発明にかかる鍵盤装置の鍵子ガイド構造の他の構成上の特徴は、鍵ガイド突起体とキャップ体、または鍵フレームにおける鍵ガイド突起体の近傍部分とキャップ体とに、それぞれ互いに係合可能な係合部を設けたことにある。
【００１１】
この場合の係合部は、互いに係合可能な凹部と凸部とで構成したり、爪部と爪部に係合可能な被係合部とで構成したりすることができる。そして、凹部と凸部または爪部と被係合部は、それぞれ鍵ガイド突起体または鍵フレームにおける鍵ガイド突起体の近傍部分と、キャップ体とのどちらに設けてもよい。これによって、キャップ体が鍵ガイド突起体から外れることを防止できる。このため、キャップ体と鍵ガイド突起体との間のクリアランスの寸法設定に高精度を要しなくなり、設計が容易になる。また、係合部がキャップ体の外側面に突出する場合には、鍵の被ガイド部に対応する部分を避けて設ける。これによって、鍵の被ガイド部が係合部に接触することを防止でき、押鍵操作をスムーズに行える。
【発明を実施するための最良の形態】
【００１２】
（第１実施形態）
以下、本発明の第１実施形態を図面を用いて説明する。図１および図２は、本発明にかかる鍵盤装置の鍵ガイド構造を備えた鍵盤装置Ｍの一部を示している。この鍵盤装置Ｍは、硬質の合成樹脂を、それぞれ一体成形することにより形成した固定フレーム１０ａと可動フレーム１０ｂとからなる鍵フレーム１０と、鍵フレーム１０の上面に並設された複数の白鍵２０ａおよび黒鍵２０ｂとからなる鍵盤２０とを備えている。
【００１３】
白鍵２０ａおよび黒鍵２０ｂは、それぞれ合成樹脂を一体成形することにより形成されており、下方が開放されて縦断面形状がコ字状になった棒体で構成されている。そして、白鍵２０ａおよび黒鍵２０ｂの各基端部２１ａ，２１ｂ（以下、演奏者側を前部として説明する。基端部はその場合の後端側部分である。）が固定フレーム１０ａの上面に取り付けられた鍵支持部１１に上下方向に揺動可能な状態で支持されている。白鍵２０ａおよび黒鍵２０ｂの各基端部２１ａ，２１ｂには、上下に貫通する孔２２ａ，２２ｂが形成されている。白鍵２０ａおよび黒鍵２０ｂの各基端部２１ａ，２１ｂは、鍵支持部１１の後端部に回転可能に支持されている。
【００１４】
鍵支持部１１は、固定フレーム１０ａの上面における後部側部分に、鍵並び方向に一定間隔を保って設置された円柱状の突起１２に固定されており、突起１２および鍵支持部１１は、白鍵２０ａおよび黒鍵２０ｂの数だけ設けられている。そして、鍵支持部１１の後端部にわずかに水平外側に突出して白鍵２０ａおよび黒鍵２０ｂの各基端部２１ａ，２１ｂを回転可能に支持する軸受け１３が形成され、鍵支持部１１の上面における後端部には、孔２２ａ，２２ｂ内に位置して、白鍵２０ａおよび黒鍵２０ｂの脱落を防止するガイド突起１４が形成されている。また、鍵支持部１１の上面における前部側部分に係合用の凹部１５が形成されている。
【００１５】
また、各白鍵２０ａの下面における前部側部分には、被ガイド部２５ａが形成されている。被ガイド部２５ａは、前端面部２６ａと、前端面部２６ａの一方の縁部と後面の略中央から後方に向けて設けられたＬ形の側面部２７ａ（図５参照），２８ａとで構成され、水平断面形状が略コ字状に形成されている。また、白鍵２０ａの内部における略中央には、突起体２９が形成されている。黒鍵２０ｂは白鍵２０ａよりも短い鍵で構成され、下面における前端部には被ガイド部２５ｂが形成されている。被ガイド部２５ｂは、白鍵２０ａの被ガイド部２５ａと同様に構成されているため説明を省略する。
【００１６】
白鍵２０ａおよび黒鍵２０ｂの被ガイド部２５ａ，２５ｂは、可動フレーム１０ｂの上面における前端部に鍵並び方向に一定間隔を保って設けられた複数の鍵ガイド部３０により、押鍵時に垂直方向にガイドされる。鍵ガイド部３０は、図３に示した鍵ガイド突起体３１と、図４に示したキャップ体３２とで構成されている。鍵ガイド突起体３１は、可動フレーム１０ｂの上部前端に設けられたガイドベース部３３の上面に形成された台状の補強リブ３３ａの前端部に突出して設けられており、横断面形状が半円状に形成された突起で構成されている。ガイドベース部３３および補強リブ３３ａは、可動フレーム１０ｂの一部を構成している。
【００１７】
また、この鍵ガイド突起体３１は、半円状の突出した面を後方に向け、上部を補強リブ３３ａの上面から上方に突出させた状態で、補強リブ３３ａおよびガイドベース部３３を介して可動フレーム１０ｂに一体的に形成されている。そして、鍵ガイド突起体３１の前面両側における上端部には、係合用の突起３１ａ，３１ｂが形成されている。また、鍵ガイド突起体３１には、白鍵２０ａをガイドするためのＷＫ用と、黒鍵２０ｂをガイドするためのＢＫ用とがあり、ＢＫ用の鍵ガイド突起体３１がＷＫ用の鍵ガイド突起体３１よりも、距離Ｄだけ前方への突出量が少なくなっている。
【００１８】
キャップ体３２は、軟質の合成樹脂、例えば、塩化ビニールで構成されており、鍵ガイド突起体３１の周面および上端面を被覆できる形状に形成されている。このキャップ体３２の上部は、横断面形状がＤ形の半円状筒体からなるキャップ上部３２ａで構成されて、鍵ガイド突起体３１の上部を被覆している。また、キャップ体３２の下部は、横断面形状がコ字状のキャップ下部３２ｂで構成されて、鍵ガイド突起体３１の下部における前面と両側面とを被覆している。そして、キャップ上部３２ａの上端部における前面と上面との角部の両側部分に、突起３１ａ，３１ｂと係合可能な穴部３４ａ，３４ｂが形成され、キャップ体３２の両側部に上下に延びる溝３５（一方の溝は図示せず。）が形成されている。
【００１９】
したがって、キャップ体３２を鍵ガイド突起体３１の上方から下降させると、図５に示したように、キャップ上部３２ａが鍵ガイド突起体３１の上部を覆った状態で、突起３１ａ，３１ｂに穴部３４ａ，３４ｂが係合してキャップ体３２は鍵ガイド突起体３１に固定される。その際、キャップ上部３２ａの後部下端面は補強リブ３３ａの上面に接触する。また、溝３５には、グリース等の潤滑剤を充填して、白鍵２０ａおよび黒鍵２０ｂの被ガイド部２５ａ，２５ｂとの間の摩擦を小さくする。
【００２０】
また、図２に示したように、可動フレーム１０ｂにおけるガイドベース部３３の下方には、上面が水平に形成された下限ストッパ固定部１６が鍵並び方向に設けられ、下限ストッパ固定部１６上には、フェルト等を重ねて構成された長尺の下限ストッパ１７が固定されている。下限ストッパ１７は、被ガイド部２５ａ，２５ｂの下端部に対向して設けられており、白鍵２０ａおよび黒鍵２０ｂの下方への変位を規制する。また、ガイドベース部３３の下面には、フェルト等を重ねた長尺の上限ストッパ１８が鍵並び方向に延設されて固定されている。上限ストッパ１８は、被ガイド部２５ａ，２５ｂの側面部２７ａ，２８ａおよび２個の側面部２７ｂにおけるＬ形の後方に突出した部分の上面に対向して設けられており、白鍵２０ａおよび黒鍵２０ｂの上方への変位を規制する。
【００２１】
また、鍵盤装置Ｍは、鍵フレーム１０に組み付けられて白鍵２０ａおよび黒鍵２０ｂを上方に付勢する板ばねからなる鍵復帰ばね３６も備えている。鍵復帰ばね３６は、後端部を鍵支持部１１の凹部１５に係合させ、前端部をそれに対応する白鍵２０ａまたは黒鍵２０ｂのばね係止部２９１に係合させて、湾曲した状態で鍵支持部１１と白鍵２０ａまたは黒鍵２０ｂとの間に設置されている。この鍵復帰ばね３６の復元力によって白鍵２０ａおよび黒鍵２０ｂの前部側部分は上方に付勢される。
【００２２】
また、可動フレーム１０ｂの上面における白鍵２０ａと黒鍵２０ｂとの中央側部分に対向する部分に、プリント基板３７が取り付けられており、このプリント基板３７の上面に、複数鍵に共通するスイッチ集合体が設けられている。この集合体はラバーからなるベース部３８と伏椀状可動接点保持部（スイッチ部）とからなるスイッチ３９を構成している。スイッチ３９は、突起体２９の下方に各々設けられ、白鍵２０ａおよび黒鍵２０ｂの押鍵時に、突起体２９等に押圧されてベース部３８を介してプリント基板３７の所定部分を押圧するように設定されている。
【００２３】
つぎに、以上のように構成された鍵盤装置Ｍの動作を説明する。白鍵２０ａおよび黒鍵２０ｂを押鍵操作しない状態では、鍵復帰ばね３６の弾性作用によって、白鍵２０ａおよび黒鍵２０ｂは、前端部が上方に位置した図２の状態に維持される。この状態で、白鍵２０ａの前端部および黒鍵２０ｂの前端部を下方に押圧すると、白鍵２０ａおよび黒鍵２０ｂは、鍵復帰ばね３６の弾性に抗して軸受け１３を支点に揺動する。
【００２４】
この白鍵２０ａおよび黒鍵２０ｂの揺動により、突起体２９等が下降してスイッチ３９を押圧する。この結果、ベース部３８を介してプリント基板３７の所定部分が押圧され、対応する楽音が発生する。また、白鍵２０ａおよび黒鍵２０ｂを離鍵すれば、鍵復帰ばね３６の復元力によって、白鍵２０ａおよび黒鍵２０ｂは、押鍵時と逆方向に揺動して原点位置に復帰する。これによって、楽音の発生が停止する。
【００２５】
この押鍵操作の際、各白鍵２０ａおよび黒鍵２０ｂは、ガイド突起１４および鍵ガイド部３０によって、正確に上下移動するようにガイドされる。この際、軟質の合成樹脂で構成されたキャップ体３２は、断面形状がＤ形に形成され、その両側の円弧状の部分に、白鍵２０ａおよび黒鍵２０ｂの被ガイド部２５ａ，２５ｂが摺接するため、被ガイド部２５ａ，２５ｂと鍵ガイド部３０とは実質的に線接触する。そして、被ガイド部２５ａ，２５ｂは、接触線の延びる方向に上下移動するため、摩擦抵抗が小さくなって、白鍵２０ａおよび黒鍵２０ｂの移動がスムーズになるとともに、きしみ音等の異音の発生がなくなる。さらに、キャップ体３２の溝３５には、潤滑剤が充填されているため、さらに、潤滑性が向上して、白鍵２０ａおよび黒鍵２０ｂの移動がスムーズになる。
【００２６】
また、鍵ガイド突起体３１の横断面形状を半円状に形成するとともに、キャップ体３２の形状を、略半円状の筒状にしたため、厚みが生じて鍵ガイド部３０の強度が向上する。さらに、鍵ガイド突起体３１に突起３１ａ，３１ｂを設けるとともに、キャップ体３２に穴部３４ａ，３４ｂを設けて、突起３１ａ，３１ｂと穴部３４ａ，３４ｂとを係合させることにより、キャップ体３２を鍵ガイド突起体３１に固定している。このため、キャップ体３２が鍵ガイド突起体３１から外れたり位置ずれしたりすることを防止でき、スムーズな押鍵操作が可能になる。
【００２７】
また、キャップ体３２が鍵ガイド突起体３１から外れたり位置ずれしたりしないため、キャップ体３２と鍵ガイド突起体３１とのクリアランスの設定を高精度にしなくとも支障が生じなくなる。これによって、キャップ体３２と鍵ガイド突起体３１との設計に自由度が増すようになる。キャップ体３２の取り付け操作も、キャップ体３２を鍵ガイド突起体３１に合わせて下降させるだけで済むため簡単である。
【００２８】
また、各白鍵２０ａ間および各白鍵２０ａと黒鍵２０ｂとの間の間隔は、それぞれの鍵ガイド部３０によって、一定になるため、隣り合った白鍵２０ａ同士および白鍵２０ａと黒鍵２０ｂとが接触したり干渉したりすることがなくなる。これによって、押鍵操作がスムーズに行えるようになり、また、各白鍵２０ａ、黒鍵２０ｂの間隔が一定になるため見栄えも良くなる。
【００２９】
（第２実施形態）
図６は、本発明の第２実施形態に係る鍵盤装置の鍵ガイド構造が備える鍵ガイド部４０を示している。この鍵ガイド部４０は、鍵ガイド突起体４１とキャップ体４２とを備えており、鍵ガイド突起体４１は、ガイド形成部４３の前端部からやや後方に位置する部分に設けられている。そして、ガイド形成部４３における鍵ガイド突起体４１の前面中央に対応する部分に穴部４４が形成されている。また、鍵ガイド突起体４１の前面には鍵ガイド突起体３１が備える突起３１ａ，３１ｂのような突起は設けられていない。
【００３０】
キャップ体４２は、横断面形状が半円状に形成された天井面を有する半円筒状に形成され、前部に形成された平面部の下端中央に穴部４４の周縁部と係合可能な係合爪４１が下方に向って突出している。また、キャップ体４２の外周面における前端部近傍に上下に延びる溝４５が形成されている。したがって、キャップ体４２を鍵ガイド突起体４１の上方から下降させると、図７に示したように、キャップ体４２が鍵ガイド突起体４１を覆った状態で、係合爪４１が穴部４４の周縁部下端に係合してキャップ体４２は鍵ガイド突起体４１に固定される。
【００３１】
また、溝４５には、グリース等の潤滑剤が充填される。この鍵盤装置におけるそれ以外の部分の構成については、前述した鍵盤装置Ｍと同一である。このように構成したため、キャップ体４２や鍵ガイド突起体４１の構造が単純になって、製造が容易になりコストの低減が図れる。また、この鍵盤装置のそれ以外の作用効果については、前述した鍵盤装置Ｍと同様である。
【００３２】
（第３実施形態）
図８は、本発明の第３実施形態による鍵盤装置の鍵ガイド構造が備えるキャップ体５２を示している。このキャップ体５２は、横断面形状が半円状に形成された天井面を有する半円筒状に形成され、外周面における前端部近傍にそれぞれ、上下に分かれて上部溝５５ａと下部溝５５ｂとが形成されている。このキャップ体５２は、前述した鍵ガイド突起体３１，４１と同様の形状に形成された鍵ガイド突起体に取り付けられ、上部溝５５ａと下部溝５５ｂには、グリース等の潤滑剤が充填される。この鍵盤装置におけるそれ以外の部分の構成については、前述した鍵盤装置Ｍと同一である。
【００３３】
このように構成したため、上部溝５５ａと下部溝５５ｂとに充填される潤滑剤の拡散を防止しながら、上部溝５５ａと下部溝５５ｂとの間の部分にガイド機能を持たせることができる。この場合、キャップ体５２は、摩擦力によって鍵ガイド突起体に係合される。また、キャップ体５２を上下抜きの単純な構造の金型で成形できるため、製造の容易化と低コスト化が図れる。この鍵盤装置のそれ以外の作用効果については、前述した鍵盤装置Ｍと同様である。
【００３４】
（第４実施形態）
図９は、本発明の第４実施形態に係る鍵盤装置の鍵ガイド構造が備える鍵ガイド部６０の鍵面と平行な断面を示している。この鍵ガイド部６０は、鍵ガイド突起体６１とキャップ体６２とを備えている。鍵ガイド突起体６１は、鍵並び方向に延びる板状の突起本体６１ａと、突起本体６１ａ後面に向って延びる２個の板状の補強体６１ｂ，６１ｃとで構成されている。補強体６１ｂ，６１ｃは、対応する突起本体６１ａの端部からそれぞれ同一距離の部分に設けられて、突起本体６１ａを左右にバランスよく補強する。
【００３５】
キャップ体６２は、横断面形状が鍵ガイド突起体６１の外周部に沿う曲部に形成された天井面（図示せず）を有する筒状に形成されている。したがって、キャップ体６２で鍵ガイド突起体６１を被覆すると、キャップ体６２の各角部が鍵ガイド突起体６１の各端部を締め付けるようになり、キャップ体６２は鍵ガイド突起体６１に固定される。この鍵盤装置におけるそれ以外の部分の構成については、前述した鍵盤装置Ｍと同一である。これによっても、前述した鍵盤装Ｍと同様の作用効果を奏し得る。
【００３６】
また、本発明に係る鍵盤装置の鍵ガイド構造は、前述した各実施形態に限るものでなく、適宜変更実施が可能である。例えば、第１実施形態においては、鍵ガイド突起体３１の前面両側における上端部に突起３１ａ，３１ｂを形成し、キャップ体３２の上端部における前面と上面との角部の両側部分に穴部３４ａ，３４ｂを形成しているが、これらの突起３１ａ，３１ｂや穴部３４ａ，３４ｂは、鍵ガイド部３０の上端部に限らず、中央部や下部側部分に設けてもよい。
【００３７】
また、鍵ガイド突起体３１やキャップ体３２の曲面部を構成する後部側の面に突起や穴部を形成してもよい。さらに、キャップ体に突起を設け、鍵ガイド突起体に穴部を設けてもよい。また、鍵ガイド突起体３１等やキャップ体３２等の横断面形状は、Ｃ形やＤ形に限らず、三角形やＶ形に形成することもできる。また、前述した各実施形態では、白鍵２０ａおよび黒鍵２０ｂが縦方向にのみ揺動する鍵盤装置Ｍ等について記載しているが、本発明に係る鍵盤装置の鍵ガイド構造は、白鍵および黒鍵が横方向にも揺動可能になった横揺れ鍵盤を備えた鍵盤装置に設けてもよい。
【００３８】
また、キャップ体３２等を構成する材料としては、塩化ビニールの外、天然ゴム、シリコンゴム等のグリースを吸収しやすい軟質素材を用いることができる。また、キャップ体３２等に替えて、鍵ガイド突起体３１等の周面を被覆するリング状や筒状のものを使用することもできる。
【図面の簡単な説明】
【００３９】
【図１】本発明の第１実施形態による鍵盤装置の鍵ガイド構造を備えた鍵盤装置の一部を示す斜視図である。
【図２】図１に示した鍵盤装置の縦断面図である。
【図３】第１実施形態による鍵盤装置の鍵ガイド構造が備える鍵ガイド突起体を示した斜視図である。
【図４】第１実施形態による鍵盤装置の鍵ガイド構造が備えるキャップ体を示した斜視図である。
【図５】図３に示した鍵ガイド突起体に図４に示したキャップ体を取り付けた状態を示す平面図である。
【図６】第２実施形態による鍵盤装置の鍵ガイド構造が備える鍵ガイド突起体とキャップ体とを示した斜視図である。
【図７】図６の鍵ガイド突起体とキャップ体とを組み付けた状態を示した断面図である。
【図８】第３実施形態による鍵盤装置の鍵ガイド構造が備えるキャップ体を示した斜視図である。
【図９】第４実施形態による鍵盤装置の鍵ガイド構造が備える鍵ガイド突起体とキャップ体とを示した横断面図である。
【符号の説明】
【００４０】
１０…鍵フレーム、１０ａ…固定フレーム、１０ｂ…可動フレーム、２０ａ…白鍵、２０ｂ…黒鍵、２５ａ，２５ｂ…被ガイド部、２７ａ，２７ｂ，２８ａ…側面部、３０，４０，６０…鍵ガイド部、３１，４１，６１…鍵ガイド突起体、３１ａ，３１ｂ…突起、３２，４２，５２，６２…キャップ体、３４ａ，３４ｂ…穴部、４１…係合爪、４４…穴部、Ｍ…鍵盤装置
【図１】
2005189511.tif 000003
【図２】
2005189511.tif 000004
【図３】
2005189511.tif 000005
【図４】
2005189511.tif 000006
【図５】
2005189511.tif 000007
【図６】
2005189511.tif 000008
【図７】
2005189511.tif 000009
【図８】
2005189511.tif 000010
【図９】
2005189511.tif 000011